【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
出力情報の変倍処理が可能な画像処理装置であって、
第１の大きさでの出力画像及び前記第１の大きさでの出力画像の出力位置を保持するとともに、第２の大きさでの出力画像及び前記第２の大きさでの出力位置を保持する保持手段と、
前記保持手段に保持された第１及び第２の大きさ間の出力画像の変化割合より出力倍率に対応した出力画像を生成する画像生成手段と、
前記保持手段に保持された第１及び第２の大きさ間の出力画像位置の変化割合より出力倍率に対応した出力画像描画位置を決定する画像生成位置決定手段と、
前記画像生成手段で生成した出力画像を前記画像生成位置決定手段での決定位置に描画する画像描画手段と
を備えることを特徴とする画像処理装置。
【請求項２】
前記保持手段に保持された出力画像のうちより所望の情報を選択するとともに、選択情報の出力すべき大きさを指定する選択手段を更に備え、  前記選択手段による出力すべき画像の選択は、前記保持手段に保持された前記第１の大きさの画像より選択する
ことを特徴とする請求項１記載の画像処理装置。
【請求項３】
前記描画手段による描画出力画像は画像情報のフレーム情報であり、前記フレーム情報中にはめ込むはめ込み情報を指定する指定手段と、
前記指定手段の指定はめ込み情報を前記フレーム情報のフレーム中にはめ込むはめ込み手段と
を備えることを特徴とする請求項２に記載の画像処理装置。
【請求項４】
前記はめ込み手段によるはめ込み後に前記選択手段によるフレーム情報の描画倍率を変更可能とし、はめ込み後に前記フレーム情報の描画倍率を変更した場合には、前記画像生成位置決定手段による描画位置の移動に応じて前記はめ込み情報のはめ込み位置を変更し、前記フレーム情報とのはめ込み位置関係を保持する
ことを特徴とする請求項３記載の画像処理装置。
【請求項５】
前記はめ込み手段は、前記指定手段による指定はめ込み情報が画像情報である場合には、前記選択手段による出力すべきフレーム情報の大きさの変化にかかわらずはめ込み情報の変更は行なわず、はめ込み情報中の前記フレーム情報のフレーム内に相当する画像のみをフレーム内にはめ込み情報として描画する
ことを特徴とする請求項４記載の画像処理装置。
【請求項６】
前記はめ込み手段は、前記指定手段による指定はめ込み情報が文字情報である場合には、前記選択手段による出力すべきフレーム情報で示されるフレーム内に全ての文字情報を表示させる
ことを特徴とする請求項４又は請求項５のいずれかに記載の画像処理装置。
【請求項７】
前記はめ込み手段は、文字情報の前記選択手段による選択時の文字の大きさでは１行の情報が前記フレームよりはみ出す場合には、前記フレーム内に納まるように自動改行してはめ込む
ことを特徴とする請求項６記載の画像処理装置。
【請求項８】
前記選択手段による選択出力画像に対する前記画像生成位置決定手段による描画位置の移動により描画位置が出力装置の出力可能範囲外とならないように、出力可能範囲の縁部近傍では、第１及び第２の大きさ間の出力画像位置の変化割合に対応した出力画像描画位置の移動量を圧縮する
ことを特徴とする請求項２乃至請求項８のいずれかに記載の画像処理装置。
【請求項９】
文字や図形を処理する文書処理手段あるいは画像を処理する画像処理手段で生成されたオブジェクトの集合体を描画処理する画像処理装置であって、
前記オブジェクトの集合体は、一つ以上のオブジェクトで構成されており、各オブジェクトのそれぞれは当該オブジェクトにサイズ変更を加えた場合の展開方法に関する個別に設定できる描画処理のための属性を備え、前記オブジェクトの集合体を構成するオブジェクトを編集する編集手段と、
前記オブジェクト毎の属性をもとに描画を行うオブジェクト描画手段と、
前記オブジェクト集合体のサイズを変更するサイズ変更手段と、
前記サイズ変更手段によるサイズの変更に対応して前記オブジェクト集合体の新たなサイズ情報を発生する発生手段と、
前記発生手段の発生するサイズ情報に従って前記オブジェクト集合体を構成する個々のオブジェクトの持つ描画属性をもとに各オブジェクトにおいて新たな描画属性を決定する決定手段とを備え、
前記オブジェクト描画手段は、更に決定手段により決定されたオブジェクトの持つ属性をもとに描画を行う
ことを特徴とする画像処理装置。
【請求項１０】
第１の大きさでの出力画像及び前記第１の大きさでの出力画像の出力位置を保持するとともに、第２の大きさでの出力画像及び前記第２の大きさでの出力位置を保持する保持手段を備え、出力情報の変倍処理が可能な画像処理装置における画像処理方法であって、
前記保持手段に保持された第１及び第２の大きさ間の出力画像の変化割合より出力倍率に対応した出力画像を生成する画像生成工程と、
前記保持手段に保持された第１及び第２の大きさ間の出力画像位置の変化割合より出力倍率に対応した出力画像描画位置を決定する画像生成位置決定工程と、
前記画像生成工程で生成した出力画像を前記画像生成位置決定工程での決定位置に描画する画像描画工程と
を備えることを特徴とする画像処理方法。
【請求項１１】
前記保持手段に保持された出力画像のうちより所望の情報を選択するとともに、選択情報の出力すべき大きさを指定する選択工程を更に備え、
前記選択工程による出力すべき画像の選択は前記保持手段に保持された前記第１の大きさの画像より選択する
ことを特徴とする請求項１０記載の画像処理方法。
【請求項１２】
前記描画工程による描画出力画像は画像情報のフレーム情報であり、前記フレーム情報中にはめ込むはめ込み情報を指定する指定工程と、
前記指定工程の指定はめ込み情報を前記フレーム情報のフレーム中にはめ込むはめ込み工程とを含む
ことを特徴とする請求項１１に記載の画像処理方法。
【請求項１３】
前記はめ込み工程によるはめ込み後に前記選択工程によるフレーム情報の描画倍率を変更可能とし、はめ込み後に前記フレーム情報の描画倍率を変更した場合には、前記画像生成位置決定工程による描画位置の移動に比例して前記はめ込み情報のはめ込み位置を変更し、前記フレーム情報とのはめ込み位置関係を保持する
ことを特徴とする請求項１２記載の画像処理方法。
【請求項１４】
前記はめ込み工程は、前記指定工程による指定はめ込み情報が画像情報である場合には、前記選択工程による出力すべきフレーム情報の大きさの変化にかかわらずはめ込み情報の変更は行なわず、はめ込み情報中の前記フレーム情報のフレーム内に相当する画像のみをフレーム内にはめ込み情報として描画する
ことを特徴とする請求項１３記載の画像処理方法。
【請求項１５】
前記はめ込み工程は、前記指定工程による指定はめ込み情報が文字情報である場合には、前記選択工程による出力すべきフレーム情報で示されるフレーム内に全ての文字情報を表示させる
ことを特徴とする請求項１３又は請求項１４のいずれかに記載の画像処理方法。
【請求項１６】
前記はめ込み工程は、文字情報の前記選択工程による選択時の文字の大きさでは１行の情報が前記フレームよりはみ出す場合には、前記フレーム内に納まるように自動改行してはめ込む
ことを特徴とする請求項１５記載の画像処理方法。
【請求項１７】
前記選択工程による選択出力画像に対する前記画像生成位置決定工程による描画位置の移動により描画位置が出力装置の出力可能範囲外とならないように、出力可能範囲の縁部近傍では、第１及び第２の大きさ間の出力画像位置の変化割合に対応した出力画像描画位置の移動量を圧縮する
ことを特徴とする請求項１１乃至請求項１６のいずれかに記載の画像処理方法。
【請求項１８】
文字や図形を処理する文書処理手段あるいは画像を処理する画像処理手段で生成されたオブジェクトの集合体を描画処理する画像処理装置における画像処理方法であって、
前記オブジェクトの集合体は、一つ以上のオブジェクトで構成されており、各オブジェクトのそれぞれは当該オブジェクトにサイズ変更を加えた場合の展開方法に関する個別に設定できる描画処理のための属性を備え、前記オブジェクトの集合体を構成するオブジェクトを編集する編集工程と、
前記オブジェクト毎の属性をもとに描画を行うオブジェクト描画工程と、
前記オブジェクト集合体のサイズを変更するサイズ変更工程と、
前記サイズ変更工程によるサイズの変更に対応して前記オブジェクト集合体の新たなサイズ情報を発生する発生工程と、
前記発生工程の発生するサイズ情報に従って前記オブジェクト集合体を構成する個々のオブジェクトの持つ描画属性をもとに各オブジェクトにおいて新たな描画属性を決定する決定工程とを備え、
前記オブジェクト描画工程は、更に決定工程により決定されたオブジェクトの持つ属性をもとに描画を行う
ことを特徴とする画像処理方法。
【請求項１９】
請求項１乃至請求項１８のいずれかに記載の機能を実現する制御手順を記憶することを特徴とする記憶媒体。
【請求項２０】
請求項１乃至請求項１８のいずれかに記載の機能を実現することを特徴とするプログラム制御手順。